(57)【特許請求の範囲】
【請求項１】
インターアクセスネットワーク「ＩＡＮ」トポロジ装置（１１０）を操作する方法（Ｍ４００）であって、前記ＩＡＮトポロジ装置（１１０）はコアネットワークの一部であり、前記コアネットワークは、オペレータによって運営されるオペレータネットワークの一部であり、前記オペレータネットワークは１または２以上のアクセスネットワークをさらに含み、
前記方法は、
無線端末（１２０）のＩＡＮセッション移動に基づいてアクセスネットワークセルトポロジマップを自動的に構成するステップ（Ｓ４１０）を含み、
前記ＩＡＮセッション移動は、前記無線端末（１２０）が、第１のアクセスネットワークに属する第１のセルへのアクセスから第２のアクセスネットワークに属する第２のセルへのアクセスへ移動すると、発生し、前記第１のアクセスネットワークおよび前記第２のアクセスネットワークは異なるアクセスネットワークであり、
前記アクセスネットワークセルトポロジマップは１または２以上の項目を含み、各項目は、移動元ネットワークに属する移動元セルから移動先ネットワークに属する移動先セルへの移動に関するマッピング情報を提供し、前記移動元アクセスネットワークおよび前記移動先アクセスネットワークは異なるアクセスネットワークであり、前記アクセスネットワークセルトポロジマップのすくなくとも１つの項目は移動元セルのパラメータと、移動先セルのパラメータと、移動インジケータパラメータとを含み、含まれる前記移動元セルのパラメータと、前記移動先セルのパラメータと、前記移動インジケータパラメータとは、前記第１のセルのパラメータと、前記第２のセルのパラメータと、移動結果パラメータとに基づき、対応させて更新され、
前記アクセスネットワークセルトポロジマップを構成するステップ（Ｓ４１０）は、
第１のセルのパラメータと、第２のセルのパラメータと、移動結果パラメータとを含む、前記無線端末（１２０）のＩＡＮセッション移動情報を受信するステップ（Ｓ５１０）と、
前記第１のセルのパラメータと、前記第２のセルのパラメータと、前記移動結果パラメータとに基づき、対応させて前記項目の前記移動元セルのパラメータと、前記移動先セルのパラメータと、前記移動インジケータパラメータとを更新することで、前記アクセスネットワークセルトポロジマップを更新するステップ（Ｓ５２０）とを含み、
前記ＩＡＮセッション移動情報を受信するステップ（Ｓ５１０）において、前記情報は、前記無線端末（１２０）から発信されるもので、前記ＩＡＮトポロジ装置（１２０）によって受信される前に１または２以上のＩＡＮ手続メッセージによって伝搬されることを特徴とする方法（Ｍ４００）。
【請求項２】
前記アクセスネットワークセルトポロジマップは、前記移動元セルと前記移動先セルとの少なくとも１つが前記オペレータネットワークに属していない項目を少なくとも１つ含むことを特徴とする、請求項１に記載の方法（Ｍ４００）。
【請求項３】
各アクセスネットワークセルトポロジマップ項目の前記移動先セルのパラメータおよび前記移動元セルのパラメータの各々は、セル技術パラメータと、セル識別パラメータと、アクセスネットワーク識別パラメータとを含むことを特徴とする、請求項１又は２に記載の方法（Ｍ４００）。
【請求項４】
前記アクセスネットワークセルトポロジマップの少なくとも１つの項目が、記入される場合に、前記少なくとも１つの項目に記録された以前のＩＡＮセッション移動の以前の無線端末の位置を示す位置パラメータを選択的に含み、
前記アクセスネットワークセルトポロジマップを構成する方法ステップ（Ｓ５２０）は、前記ＩＡＮセッション移動情報を受信するステップ（Ｓ４１０）において無線端末の位置が受信されると、前記項目の前記位置パラメータを更新するステップをさらに含む
ことを特徴とする、請求項１〜３のいずれか１項に記載の方法（Ｍ４００）。
【請求項５】
前記位置パラメータは、記入される場合、ある特定の場所、または、ある地域を示す、請求項４に記載の方法（Ｍ４００）。
【請求項６】
前記位置パラメータは、座標、住所、建物名、２または３以上のセルの通信範囲の重複、通信変調方式、以前の無線端末の伝送電力設定、前記移動元セルおよび／または前記移動先セルのチャネルの品質のいずれか１または２以上に基づくことを特徴とする、請求項４または５に記載の方法（Ｍ４００）。
【請求項７】
前記ＩＡＮセッション移動情報を受信するステップ（Ｓ５１０）において、前記情報は、前記第１のアクセスネットワークの１または２以上のノード、前記第２のアクセスネットワークの１または２以上のノード、前記ＩＡＮセッション移動に関与する前記コアネットワークの１または２以上のノードのいずれか１つから受信されることを特徴とする、請求項１に記載の方法（Ｍ４００）。
【請求項８】
前記ＩＡＮセッション移動情報を受信するステップ（Ｓ５１０）において、前記情報は、前記コアネットワークのポリシ課金制御「ＰＣＲＦ」要素から受信されることを特徴とする、請求項１又は７に記載の方法（Ｍ４００）。
【請求項９】
要求する無線端末（１２０）からの要求に応答し、前記要求する無線端末にスキャンセルリストを提供する方法ステップ（Ｓ４２０）をさらに含み、
前記要求する無線端末（１２０）からの前記要求に応答するステップ（Ｓ４２０）は、
前記要求する無線端末（１２０）からの前記要求を受信するステップ（Ｓ８１０）と、
１または２以上の選択条件の組合せである選択基準を適用し、前記選択基準を満たす前記移動先セルを前記スキャンセルリストに追加することに基づいて、前記アクセスネットワークセルトポロジマップから０または１以上の移動先セルを検索するステップ（Ｓ８２０）と、
前記要求する無線端末に前記スキャンリストを提供するステップ（Ｓ８３０）と
をさらに含むことを特徴とする、請求項１〜８のいずれか１項に記載の方法（Ｍ４００）。
【請求項１０】
前記要求は、前記要求する無線端末（１２０）によって現時点でアクセスされている現時点のセルのセルパラメータを含み、
前記選択条件は、
「前記項目の移動元セルのパラメータが前記現時点のセルのパラメータに一致する」という第１条件と、
「前記オペレータネットワークのオペレータポリシが、前記要求する無線端末（１２０）の、前記項目の移動先セルへのＩＡＮセッション移動を可能にする」という第２条件と、
「前記項目の移動インジケータパラメータが、前記項目の移動先セルへのＩＡＮセッション移動の成功の尤度の閾値以上である」という第３条件と
を含み、
前記選択基準は少なくとも前記第１条件を含むこと
を特徴とする、請求項９に記載の方法（Ｍ４００）。
【請求項１１】
前記要求は、前記要求する無線端末（１２０）の位置を含み、
前記選択条件は、「前記要求する無線端末の前記位置は、前記項目の前記移動先セルからの距離の第１の閾値内であるか、または、前記項目の前記位置パラメータよりも少なくとも第２の閾値だけ前記項目の前記移動先セルに近い」という第４条件を含むこと
を特徴とする、請求項１０に記載の方法（Ｍ４００）。
【請求項１２】
前記選択基準は少なくとも第２条件を含むことを特徴とする、請求項１０または１１に記載の方法（Ｍ４００）。
【請求項１３】
前記ＩＡＮトポロジ装置（１１０）は、３ＧＰＰアクセスネットワークのアクセスネットワークディスカバリ選択機能「ＡＮＤＳＦ」サーバであり、
前記トポロジマップの少なくとも１つの項目が、前記３ＧＰＰアクセスネットワークに属する前記移動元セルまたは前記移動先セルの１つを有し、
前記ＩＡＮセッション移動は、前記無線端末（１２０）の、前記第１のセルから前記第２のセルへのハンドオーバを含むこと
を特徴とする、請求項１〜１１のいずれか１項に記載の方法（Ｍ４００）。
【請求項１４】
インターアクセスネットワーク「ＩＡＮ」トポロジ装置（１１０）であって、前記ＩＡＮトポロジ装置（１１０）はコアネットワークの一部であり、前記コアネットワークは、オペレータによって運営されるオペレータネットワークの一部であり、前記オペレータネットワークは１または２以上のアクセスネットワークをさらに含み、
無線端末（１２０）のＩＡＮセッション移動に基づいてアクセスネットワークセルトポロジマップを自動的に構成する処理部（３１０）を備え、
前記ＩＡＮトポロジ装置（１１０）は、前記アクセスネットワークセルトポロジマップを記憶する格納部（３３０）をさらに備え、
前記ＩＡＮセッション移動は、前記無線端末（１２０）が、第１のアクセスネットワークに属する第１のセルへのアクセスから第２のアクセスネットワークに属する第２のセルへのアクセスへ移動すると、発生し、前記第１のアクセスネットワークおよび前記第２のアクセスネットワークは異なるアクセスネットワークであり、
前記アクセスネットワークセルトポロジマップは１または２以上の項目を含み、各項目は、移動元ネットワークに属する移動元セルから移動先ネットワークに属する移動先セルへの移動に関するマッピング情報を提供し、前記移動元アクセスネットワークおよび前記移動先アクセスネットワークは異なるアクセスネットワークであり、各アクセスネットワークセルトポロジマップ項目は移動元セルのパラメータと、移動先セルのパラメータと、移動インジケータパラメータとを含み、含まれる前記移動元セルのパラメータと、前記移動先セルのパラメータと、前記移動インジケータパラメータとは、前記第１のセルのパラメータと、前記第２のセルのパラメータと、移動結果パラメータとに基づき、対応させて更新され、
第１のセルのパラメータと、第２のセルのパラメータと、移動結果パラメータとを含む、前記無線端末（１２０）のＩＡＮセッション移動情報を受信する通信部（３２０）をさらに備え、
前記処理部（３１０）は、前記第１のセルのパラメータと、前記第２のセルのパラメータと、前記移動結果パラメータとに基づき、対応させて前記項目の前記移動元セルのパラメータと、前記移動先セルのパラメータと、前記移動インジケータパラメータとを更新することで、前記アクセスネットワークセルトポロジマップを更新し、
前記ＩＡＮセッション移動情報は、前記無線端末（１２０）から発信されるもので、前記通信部（３２０）によって受信される前に、前記第１のアクセスネットワークの１または２以上のノード、前記第２のアクセスネットワークの１または２以上のノード、前記ＩＡＮセッション移動に関与する前記コアネットワークの１または２以上のノードの間で交換される１または２以上のＩＡＮ手続メッセージによって伝搬されることを特徴とするＩＡＮトポロジ装置（１１０）。
【請求項１５】
前記アクセスネットワークセルトポロジマップは、前記移動元セルと前記移動先セルとの少なくとも１つが前記オペレータネットワークに属していない項目を少なくとも１つ含むことを特徴とする、請求項１４に記載のＩＡＮトポロジ装置（１１０）。
【請求項１６】
前記アクセスネットワークセルトポロジマップの少なくとも１つの項目が、記入される場合に、前記少なくとも１つの項目に記録された以前のＩＡＮセッション移動の以前の無線端末の位置を示す位置パラメータを選択的に含み、
前記位置パラメータは、記入される場合、ある特定の場所、または、ある地域を示し、
前記処理部（３１０）は、前記ＩＡＮセッション移動情報を受信することの一部として前記通信部（３２０）によって無線端末の位置が受信されると、前記項目の前記位置パラメータを更新することを特徴とする、請求項１４に記載のＩＡＮトポロジ装置（１１０）。
【請求項１７】
前記通信部（３２０）は、要求する無線端末（３２０）からの要求を受信し、前記要求する無線端末（１２０）にスキャンセルリストを提供し、
前記処理部（３１０）は、
前記要求する無線端末（１２０）からの前記要求を受信するステップ（Ｓ８１０）と、
１または２以上の選択条件の組合せである選択基準を適用し、前記選択基準を満たす前記移動先セルを前記スキャンセルリストに追加することに基づいて、前記アクセスネットワークセルトポロジマップから０または１以上の移動先セルを検索すること
を特徴とする、請求項１４に記載のＩＡＮトポロジ装置（１１０）。
【請求項１８】
前記要求は、前記要求する無線端末（１２０）によって現時点でアクセスされている現時点のセルのセルパラメータを含み、
前記選択条件は、
「前記項目の移動元セルのパラメータが前記現時点のセルのパラメータに一致する」という第１条件と、
「前記オペレータネットワークのオペレータポリシが、前記要求する無線端末（１２０）の、前記項目の移動先セルへのＩＡＮセッション移動を可能にする」という第２条件と、
「前記項目の移動インジケータパラメータが、前記項目の移動先セルへのＩＡＮセッション移動の成功の尤度の閾値以上である」という第３条件と
を含み、
前記選択基準は少なくとも前記第１条件を含むこと
を特徴とする、請求項１７に記載のＩＡＮトポロジ装置（１１０）。
【請求項１９】
前記要求は、前記要求する無線端末（１２０）の位置を含み、
前記選択条件は、「前記要求する無線端末の前記位置は、前記項目の前記移動先セルからの距離の第１の閾値内であるか、または、前記項目の前記位置パラメータよりも少なくとも第２の閾値だけ前記項目の前記移動先セルに近い」という第４条件を含むこと
を特徴とする、請求項１７に記載のＩＡＮトポロジ装置（１１０）。
【請求項２０】
前記選択基準は少なくとも第２条件を含むことを特徴とする、請求項１７〜１９のいずれか１項に記載のＩＡＮトポロジ装置（１１０）。
【請求項２１】
前記ＩＡＮトポロジ装置（１１０）は、３ＧＰＰアクセスネットワークのアクセスネットワークディスカバリ選択機能（ＡＮＤＳＦ）サーバであり、
前記アクセスネットワークセルトポロジマップの少なくとも１つの項目が、前記３ＧＰＰアクセスネットワークに属する前記移動元セルまたは前記移動先セルの１つを有し、
前記ＩＡＮセッション移動は、前記無線端末（１２０）の、前記第１のセルから前記第２のセルへのハンドオーバを含むこと
を特徴とする、請求項１４〜２０のいずれか１項に記載のＩＡＮトポロジ装置（１１０）。
【請求項２２】
無線端末（１２０）を操作する方法（Ｍ１０００）であって、
第１のアクセスネットワークの第１のセルへのアクセスから第２のアクセスネットワークの第２のセルへインターアクセスネットワーク「ＩＡＮ」セッション移動を行うステップ（Ｓ１０１０）であって、前記第１のアクセスネットワークと前記第２のアクセスネットワークとは互いに異なるものであるステップ（Ｓ１０１０）と、
前記ＩＡＮセッション移動に関する情報をオペレータネットワークのＩＡＮトポロジ装置（１２０）に通知するステップ（Ｓ１０２０、Ｓ１０３０）と
を含み、
前記方法は、前記ＩＡＮセッション移動に関する情報を含むメッセージを前記ＩＡＮセッション移動に関与する中間ノードを介して伝搬することによって、前記ＩＡＮトポロジ装置（１２０）に通知するステップ（Ｓ１０３０）をさらに含み、
前記ＩＡＮセッション移動に関する情報は、第１のセルのパラメータと、第２のセルのパラメータと、前記ＩＡＮセッション移動が成功したか否かを示す移動結果パラメータとを含むことを特徴とする方法（Ｍ１０００）。
【請求項２３】
前記ＩＡＮセッション移動に関する情報は、前記ＩＡＮセッション移動の時点の前記無線端末の位置を示す位置情報をさらに含み、前記位置情報は、ある特定の場所、または、ある地域を示すことを特徴とする、請求項２２に記載の方法（Ｍ１０００）。
【請求項２４】
第１のアクセスネットワークの第１のセルへのアクセスから第２のアクセスネットワークの第２のセルへインターアクセスネットワーク「ＩＡＮ」セッション移動を行う処理部（９１０）であって、前記第１のアクセスネットワークと前記第２のアクセスネットワークとは互いに異なるものである処理部（９１０）と、
前記ＩＡＮセッション移動に関する情報をオペレータネットワークのＩＡＮトポロジ装置（１２０）に通知する通信部（９２０）と
を備え、
前記通信部（９２０）は、前記ＩＡＮセッション移動に関する情報を含むメッセージを前記ＩＡＮセッション移動に関与する中間ノードを介して伝搬することによって、前記ＩＡＮトポロジ装置（１２０）に通知し、
前記ＩＡＮセッション移動に関する情報は、第１のセルのパラメータと、第２のセルのパラメータと、前記ＩＡＮセッション移動が成功したか否かを示す移動結果パラメータとを含むことを特徴とする無線端末（１２０）。
【請求項２５】
前記ＩＡＮセッション移動の時点の前記無線端末の位置を判定する位置部（９４０）をさらに備え、
前記ＩＡＮセッション移動に関する情報は、ある特定の場所、または、ある地域を示す前記位置をさらに含むことを特徴とする、請求項２４に記載の無線端末（１２０）。
【発明の詳細な説明】
【技術分野】
【０００１】
開示する技術は、異なるアクセスネットワークの隣接セルのトポロジマップを構成して、無線端末にその位置に関するアクセスネットワーク選択情報を提供可能とすることに関する。
【背景技術】
【０００２】
第３世代パートナーシッププロジェクト（3GPP：3rd  Generation  Partnership  Project）プロジェクトには、アクセスネットワークディスカバリ選択機能（ANDSF：Access  Network  Discovery  Selection  Function）が説明されている。ＡＮＤＳＦサーバは、標準化団体でシステムアーキテクチャエボリューション（SAE：System  Architecture  Evolution）の一部として定義されるもので、３ＧＰＰアクセスネットワーク内のポリシおよびアクセスネットワーク選択情報をユーザ機器（UE：user  equipment）に提供する。ＵＥは、他の非３ＧＰＰアクセスネットワークについての情報をＡＮＤＳＦに問い合わせることができる。具体的には、「オペレータのポリシ通りのネットワークディスカバリおよび選択援助データの提供に必要なデータ管理および制御機能を含む。ＡＮＤＳＦは、ネットワークトリガに基づいてＵＥへのデータ移動を開始し、ＵＥからの要求に応答することができる」と標準化文書に記載されている（３ＧＰＰ  ＴＳ  ２３．４０２、第４．８．２．１章）。
【０００３】
図１に示すように、ＡＤＮＳＦサーバ１１０は、基準点Ｓ１４を設け、ＵＥ１２０にアクセスネットワーク選択ポリシおよび／またはディスカバリヒントを提供する。ＵＥ１２０は、Ｓ１４インタフェースに提供される情報を使用して、どのアクセスネットワークをスキャンするか判定し、またハンドオーバに関するオペレータポリシを判定することができる。ＵＥ１２０は、３ＧＰＰアクセスネットワークのままか、または非３ＧＰＰアクセスネットワークへのハンドオーバを行うか決めることができる。このように、ＡＮＤＳＦが非３ＧＰＰアクセスネットワーク選択情報を提供する、と３ＧＰＰ規格に記載されている。
【０００４】
しかしながら、この規格には、どのように情報が収集され、維持されるかについては記載されていない。むしろ、トポロジデータを手動で提供することが想定されている。３ＧＰＰアクセスネットワーク（ＧＳＭ、ＷＣＤＭＡ、Ｅ−ＵＴＲＡＮ、ＬＴＥなど）の全セルと周囲の非３ＧＰＰセルとの間の関係を手動で提供し、維持するのは冗長である。加えて、手動の処理はエラーが起こりやすいものである。
無線端末に対してその位置に関するアクセスネットワーク選択情報を提供することに関する先行技術例が、国際公開第２００７／１４６４０６（Ａ２）号パンフレットにおいて発見されるが、ここには、隣接アクセスポイントが選択された移動端末の高度な認証のための無線ローカルアクセスネットワーク「ＷＬＡＮ（wireless  local  access  network）」における方法が記載されている。高度な認証のための隣接アクセスポイントの選択は、無線端末の期待モビリティゾーンに基づく。つまり、着目する無線端末のモビリティ挙動パターンに基づいて判定される。
【発明の概要】
【０００５】
本開示の非限定的な一態様は、トポロジマップを自動的に構成する方法および装置に関する。別の非限定的な態様は、トポロジマップを使用することで、無線端末がそのリソースを効果的に使用できる方法および装置に関する。トポロジマップには、異なるアクセスネットワークの隣接セルのマッピング情報が維持される。各アクセスネットワークは、ＷｉＦｉ、ＷｉＭＡＸ、ＬＴＥなど、ある特定のアクセス技術を使用する。
【０００６】
非限定的な一実施形態例では、インターアクセスネットワーク（IAN：inter-access  network）トポロジ装置が、進行中のインターアクセスネットワーク（ＩＡＮ）セッション移動の情報を収集することによって、トポロジマップを構成する。第１のアクセスネットワークと第２のアクセスネットワークとが異なるものであるとして、ＩＡＮセッション移動は、無線端末が第１のアクセスネットワークの第１のセルへのアクセスから第２のアクセスネットワークの第２のセルへのアクセスへ移動すると、発生する。３ＧＰＰセルからＷｉＦｉアクセスポイントへの無線端末のハンドオーバが、ＩＡＮセッション移動の一例である。
【０００７】
ＩＡＮトポロジ装置は、連続的にＩＡＮセッション移動情報を収集してトポロジマップを更新する。このようにして構成されたトポロジマップは、時が過ぎるにつれて、次第に包括的になっていく。また、マップは、実際のＩＡＮセッション移動に基づくため、正確となる。さらに、変化も自動的に捕捉されることになる。
【０００８】
無線端末がトポロジ情報を要求すると、ＩＡＮトポロジ装置は、要求する無線端末に、その位置に関する情報を提供する。いくつかの利点の１つは、無線端末が不要なスキャンを行わずに、例えば、地域内でアクセス可能なセルのみのスキャンを行ったり、以前に成功が報告されたハンドオーバがないところや、アクセス可能なセルがないところのスキャンを行わなかったりすることで、電池電力を節約できることである。
【図面の簡単な説明】
【０００９】
本発明の上述の目的、特徴、効果、およびその他の目的、特徴、効果については、添付の図面に示す以下の好ましい実施形態のより具体的な説明から明らかとなろう。添付の図面では、参照文字で各図における同一部分を指している。図面は必ずしも縮尺どおりではない。
【００１０】
【図１】図１は、定められたインタフェースでワイヤレス端末が（ＩＡＮ）トポロジ装置と通信できるネットワークアーキテクチャセットアップの非限定的な例を示す。
【図２】図２は、オペレータネットワーク、コアネットワーク、アクセスネットワーク、セルにおける関係の階層の非限定的な例を示す。
【図３】図３は、ＩＡＮトポロジ装置の非限定的な実施形態例を示す。
【図４】図４は、トポロジマップを構成し、マップを使用して要求に応答する方法の非限定的な例を示す。
【図５】図５は、ＩＡＮセッション移動に基づいてトポロジマップを構成する方法の非限定的な例を示す。
【図６Ａ】図６Ａは、ＩＡＮトポロジ装置にＩＡＮセッション移動情報を提供するネットワークベースの機構を単純化した図の非限定的な例を示す。
【図６Ｂ】図６Ｂは、ＩＡＮトポロジ装置にＩＡＮセッション移動情報を提供する無線端末ベースの機構を単純化した図の非限定的な例を示す。
【図６Ｃ】図６Ｃは、ＩＡＮトポロジ装置にＩＡＮセッション移動情報を提供するネットワークベースの機構を単純化した図の別の非限定的な例を示す。
【図６Ｄ】図６Ｄは、ＩＡＮトポロジ装置にＩＡＮセッション移動情報を提供する無線端末ベースの機構を単純化した図の別の非限定的な例を示す。
【図７】図７は、トポロジマップの項目の非限定的な例を示す。
【図８】図８は、要求する無線端末からの要求に応答する方法の非限定的な例を示す。
【図９】図９は、無線端末の非限定的な実施形態例を示す。
【図１０】図１０は、ＩＡＮセッション移動情報をＩＡＮトポロジ装置に提供する方法の非限定的な例を示す。
【発明を実施するための形態】
【００１１】
以下の説明では、限定ではなく説明を目的として、ある特定のアーキテクチャ、インタフェース、技術など、具体的な詳細について述べる。しかしながら、当業者であれば、ここで説明する技術は、かかる具体的な詳細から逸脱した他の実施形態で実現することも可能であることが明らかであろう。つまり、当業者であれば、ここで説明および図示をしていなくとも、この技術の原理を実現する様々な構成を工夫することができよう。
【００１２】
ある例では、不要な詳細で説明を不明瞭にしないように、周知の装置、回路、方法の詳細な説明を省略する。ここで、原理、態様、実施形態、例を説明する陳述はすべて構造的均等物も機能的均等物も包含したものとしたい。加えて、かかる均等物には、現時点で周知の均等物も、将来開発される均等物、すなわち構造にかかわらず同一の機能を行うように開発されたいかなる要素も含まれることとしたい。
【００１３】
このように、例えば、当業者であれば、ここでのブロック図が技術の原理を実現する回路例の概念図を表すものとすることができるのは明らかであろう。同様に、フローチャート、状態遷移図、疑似コードなどは、いずれも、実質的にコンピュータ読出可能媒体で表し、そのようにコンピュータやプロセッサによって実行することが可能な様々な処理を表しているのは、かかるコンピュータやプロセッサが明示されているか否かにかかわらず明らかであろう。
【００１４】
「プロセッサ」または「コントローラ」とラベルまたは記載をした機能ブロックを含む様々な要素の機能は、専用ハードウェアと、適当なソフトウェアに関連させたソフトウェア実行可能ハードウェアとによって提供することができる。プロセッサによって提供する場合には、単一の専用プロセッサによって機能を提供することも、単一の共有プロセッサによって機能を提供することも、いくつかを共有型または分散型とすることが可能な複数の個別のプロセッサによって機能を提供することもできる。また、「プロセッサ」または「コントローラ」という用語を明示的に使用する場合は、ソフトウェア実行可能ハードウェアを排他的に指すものと解釈すべきではなく、デジタル信号プロセッサ（DSP：digital  signal  processor）ハードウェア、ソフトウェアを記憶する読出専用メモリ（ROM：read  only  memory）、ランダムアクセスメモリ（RAM：random  access  memory）、不揮発性ストレージを含むことができるが、上記に限定されない。
【００１５】
説明において、「セル」、「アクセスポイント」、「セクタ」などの用語は互いに置き換えて使用することができる。「セル」は必ずしも「基地局」（すなわち無線通信機器）に等しいものではないと念頭に置くべきである。しかしながら、セルは機器によって提供される無線カバーエリアを指すという意味で、セルと機器とは関係している。無線通信機器の例としては、３ＧＰにおけるｅＮｏｄｅＢ、ＷｉＦｉ（ＷＬＡＮともいう）におけるアクセスポイント、ＷｉＭＡＸにおける基地局が含まれる。なお、典型的に、セルごとに１つのアンテナを操作したり、連係させたアンテナの組を各セルに対して操作したりするなど、複数のアンテナを独立に操作することで、単一の機器が複数のセルに対してサポートまたはサービスを行うことができる。それでも、セルは、重複していたとしても別々に識別可能であるとする。
【００１６】
開示の非限定的な一態様では、方法および装置が隣接セルのトポロジマップを自動的に構成する。このようにして、トポロジ情報の手動提供において現時点で想定される欠点に対処する。上述のように、手動提供は大きな誤差を生じることがある。正確なデータがないと、無線端末は、そこにはないアクセスネットワークセルを連続的にスキャンすることや、オペレータポリシによって無線端末がアクセスできないセルをスキャンすることで、電池を消耗してしまうことがある。手動提供は冗長なものでもある。あるアクセスネットワーク（例えば３ＧＰＰのＧＳＭ、ＷＣＳＭＡ、Ｅ−ＵＴＲＡＮ、ＬＴＥなど）の全セルと周囲の他のアクセスネットワーク（ＷｉＦｉ、ＷｉＭａｘ、ＣＤＭＡ２０００などの非３ＧＰＰ）のセルとの間の関係を手動で維持するのは難しい。
【００１７】
隣接セルのトポロジマップを自動で構成することで、無線端末は、正確な情報を受信して、アクセスネットワークに対してスマートなスキャンを行うことができる。無線端末がＩＡＮセッション移動（例えば３ＧＰＰｅＮｏｄｅＢからＷｉＭＡＸ基地局へのハンドオーバ）を行うと決めると、無線端末はその現在地付近のＷｉＭＡＸ基地局に対して選択的なスキャンを行うことができる。
【００１８】
方法および装置を説明するため、図２を参照しながら、オペレータネットワークのメークアップにおけるアクセスネットワークとＩＡＮトポロジ装置との間の関係を説明する。オペレータネットワークは、オペレータによって運営されるシステムの全体と見なすことができる。
【００１９】
図示するように、オペレータネットワークは、無線端末（WT：wireless  terminal）とのアクセスネットワーク対応通信を１または２以上含む。３ＧＰＰ（ＧＳＭ、ＬＴＥ、Ｅ−ＵＴＲＡＮなど）、ＷｉＦｉ（別名ＷＬＡＮ）、ＷｉＭＡＸは、アクセスネットワークの単なる非限定的な例のいくつかである。各アクセスネットワークは１または２以上のセルを含む。この図では、無線インタフェースを無線端末に提供する無線通信機器（基地局、アクセスポイント、ｅＮｏｄｅＢなど）にセルが関連している。図示はしていないが、各アクセスネットワークは、セルのサポートを行うノード要素（ゲートウェイ、無線ネットワークコントローラなど）を含む。
【００２０】
また、オペレータネットワークは、アクセスネットワークの上の論理階層に位置するコアネットワークを含む。コアネットワークは、モビリティ管理、セッション管理、ユーザ管理、ローミングなどの機能を提供する。コアネットワークは、複数の種類のアクセスネットワークのサポートを行うものであり、ある特定のアクセスネットワーク専用の機能を含むことも可能である。この図では、ＩＡＮトポロジ装置（例えば３ＧＰＰにおけるＡＮＤＳＦ）がコアネットワークの一部であるとする。
【００２１】
図２は、オペレータが複数のアクセスネットワークを運営できることを示す。あるオペレータネットワークにおいては、例えば、あるアクセスネットワークは３ＧＰＰで、別のアクセスネットワークはＷｉＭＡＸであるなどのように、各アクセスネットワークは典型的にアクセス技術によって区別される。しかしながら、オペレータは運営上の理由から同一のアクセス技術を有する２または３以上の「アクセスネットワーク」を実施することを選択することがある。アクセスネットワークによってサポートされたこのアクセスネットワークおよびセルが個別に識別される限りは、方法および装置を適用可能である。異なるオペレータネットワーク間のアクセスネットワークは、それぞれのアクセス技術にかかわらず、常に異なるものとする。
【００２２】
図３は、インターアクセスネットワーク（IAN：inter-access  network）トポロジ装置１１０の非限定的な実施形態例を示している。ＩＡＮトポロジ装置１１０は、とりわけ、処理部３１０と、通信部３２０と、格納部３３０とを備える。処理部３１０は、他部を制御して、装置１１０に関連したサービスを提供させるものである。通信部３２０は、装置１１０の外部のノードと通信するものであり、格納部３３０は、装置１１０が機能するのに必要な情報を記憶するものである。ＩＡＮトポロジ装置１１０は、オペレータネットワークのコアネットワークの一部とすることができる。
【００２３】
図４は、少なくとも部分的に既存のトポロジ情報手動提供の欠点に対処するためにＩＡＮトポロジ装置１１０が行う非限定的な方法Ｍ４００の例を示している。広く言えば、ステップＳ４１０において、装置１１０が、無線端末１２０のインターアクセスネットワーク（ＩＡＮ）セッション移動に基づいて、トポロジマップを構成する。また、ステップＳ４２０においてＩＡＮトポロジ装置１１０は、トポロジ情報を要求する無線端末１２０に応答する。明示はしていないが、ＩＡＮトポロジ装置１１０は、これらのステップをそれぞれ反復して行い、トポロジマップを連続して構成し、要求する無線端末１２０に連続して応答することもできる。また、ステップは、図４に具体的に示した順序で行う必要はない。
【００２４】
図５は、トポロジマップを構成するステップＳ４１０を行う非限定的な処理の例を示している。この処理のステップＳ５１０では、通信部３２０がＩＡＮセッション移動情報を受信する。ＩＡＮセッション移動は、無線端末１２０が、あるアクセスネットワークへのアクセスから、異なるアクセスネットワークへのアクセスへ移る際に起こる。アクセスネットワークへのアクセスはいずれも当該アクセスネットワークのセルによって提供されるため、ＩＡＮセッション移動は、第１のアクセスネットワークと第２のアクセスネットワークが互いに異なるものであるとして、無線端末１２０が、第１のアクセスネットワークに属する第１のセルへのアクセスから、第２のアクセスネットワークに属する第２のセルへのアクセスへ移る遷移事象と見なすことができる。第１のセルおよび第２のセルは、それぞれ、移動元セル、移動先セルということができる。
【００２５】
通信部３２０は、ネットワークベースおよび無線端末ベースという少なくとも２つの機構によって、ＩＡＮセッション移動情報を受信する。ネットワークベースの機構の特徴の１つとして、移動を行う無線端末１２０から発信されるＩＡＮセッション移動情報が、移動に関与するノード間を渡るメッセージ（「ＩＡＮ手続メッセージ」という）によって伝搬し、無線端末１２０と装置１１０との間の通信パスにおける関与ノードの１つによって結果的に装置１１０に提供される。
【００２６】
アクセスネットワークによっては、あるアクセスネットワークから別のアクセスネットワークへのハンドオーバなどのＩＡＮセッション移動を行うための決まった処理が既に存在する場合がある。このような既存の決まった処理において、ネットワークベースの機構の効果の１つは、この機構を実施するために新たな手続が必要ないことである。そのかわり、移動を調整するために関与ノードの間を既に渡った１または２以上の既存のＩＡＮ手続メッセージは、ＩＡＮセッション移動情報を含むために増大することができる。このような増大は、ほとんどの場合で実施が比較的単純である。認証やベアラ作成などの関与ノードが行う具体的な機能は変更する必要がなく、単純にＩＡＮセッション移動情報を渡す必要がある。既にＩＡＮトポロジ装置１１０とメッセージを交換するものとされたノードのいずれかを使用して、ＩＡＮセッション移動情報を提供することができる。
【００２７】
既存の処理の例が、３ＧＰＰの文書ＴＳ２３．４０２の第８．２．１．１章に記載されている。この章では、Ｓ２ａ／Ｓ２ｂインタフェースの３ＧＰＰ  ＩＰアクセスへのアクセスからのＵＥすなわち無線端末のハンドオーバを行う処理が説明されている。また、この章では、ハンドオーバに関与するノードが行う手続、およびノード間で交換されるメッセージも記載されている。
【００２８】
図６Ａは、既存の３ＧＰＰハンドオーバ処理に対するネットワークベースの変更の非限定的な例を示している。図面では、非３ＧＰＰセルから３ＧＰセルへハンドオーバできるように各種ノード間で交換されるメッセージのタイムラインを示している。関与ノードは、非３ＧＰＰアクセスネットワークノード、３ＧＰＰアクセスネットワークノード、コアネットワークノードを含む。図６Ａは簡略図であり、処理に関与する全てのノードを示してはいない。この図では、関与ノード間を渡る既存のメッセージのいくつかに行うことが可能な増大例を含んでいるため、例えばＡＮＤＳＦなどのＩＡＮトポロジ装置１１０がハンドオーバ情報を受信する。
【００２９】
図６Ａでは、以下の既存のメッセージを増大する。ＵＥからモビリティ管理体（MME：mobility  management  entity）の「メッセージを添付」。ＭＭＥからパケットデータネットワークゲートウェイ（PDN  GW：packet  data  network  gateway）への「ベアラを作成」メッセージ。ＰＤＮ  ＧＷとポリシ課金制御（PCRF：policy  and  charging  control）との間の「ＩＰ−ＣＡＮセッションを変更」メッセージ。ＰＣＲＦからＡＮＤＳＦへのメッセージ。
【００３０】
この特定の例では、ＡＮＤＳＦがＰＣＲＦからＩＡＮセッション移動情報を受信する。一般に、第１のアクセスネットワーク、第２のアクセスネットワーク、コアネットワークからの移動に関与するノードはいずれもＩＡＮトポロジ装置１１０に情報を提供することができる。
【００３１】
また、図６Ａで識別されたメッセージに加えて、変更可能なメッセージが他にもある。一般に、無線端末１２０とＩＡＮトポロジ装置１１０との間の通信パスにおける関与ノード間で交換されるメッセージは増大候補である。
【００３２】
メッセージを増大して、移動元セル（図６Ａでは非３ＧＰＰセル）、移動先セル（３ＧＰＰセル）、結果（ハンドオーバ成功／失敗）に関する情報を含むことができる。また、無線端末１２０の位置を含むこともできる。以下で説明するが、その他のメッセージに含むことも可能である。
【００３３】
ネットワークベースの機構に対し、無線端末ベースの機構は、単純に、無線端末１２０がＩＡＮセッション移動情報を直接ＩＡＮトポロジ装置１１０に提供できる通信手続を含む。このような直接通信が既に可能な既存の処理においては、無線端末１２０と装置１１０との間で交換されるメッセージの増大を含むことができる。
【００３４】
既存の処理がこの通信機能を含まない場合には、新たな通信手続を追加することができる。既存の処理においても、無線端末ベースの機構の利点は、関与ノードが行う既存の手続も、既存のメッセージの内容も変更する必要がないことである。この機構は、単純に、無線端末１２０と装置１１０との間に追加の通信手続が必要とする。既存の処理が多くのノードを含み、複雑なメッセージが渡る場合には、無線端末ベースの機構が好ましいことがある。
【００３５】
図６Ｂは、無線端末ベースの機構の非限定的な例として提供する。図６Ａと同様に、図６Ｂは、非３ＧＰＰセルから３ＧＰＰセルへの３ＧＰＰハンドオーバ処理の簡略図を示している。しかし図６Ａとは異なり、既存の手続およびメッセージをまったく変更していない。そのかわり、最後に通信手続を追加して、ユーザ機器から直接ＡＮＤＳＦへ、関連情報を有するメッセージを送信している。
【００３６】
このメッセージは、無線端末１２０とＩＡＮトポロジ装置１１０との間に通信用に定められたインタフェースがあるという意味で、直接的である。例えば、３ＧＰＰでは、図１に示すＳ１４インタフェースによってＵＥがＡＮＤＳＦと通信することができる。
【００３７】
図６Ｃおよび６Ｄも、既存の３ＧＰＰハンドオーバ手続に対するネットワークベースの変更および無線端末ベースの変更の簡略図の非限定的な例を提供する。図６Ｃおよび６Ｄは、他の方向、つまり３ＧＰＰセルから非３ＧＰＰセルへの方向のハンドオーバを示している。図６Ｃでは、メッセージを変更する。図６Ｄでは、ＵＥが直接ＡＮＤＳＦに通知する。
【００３８】
再度図５を参照すると、ステップＳ５１０において通信部３２０が受信したＩＡＮセッション移動情報に基づいて、ステップＳ５２０において処理部３１０がトポロジマップを更新する。非限定的な一態様では、トポロジマップは格納部３３０に記憶され、その情報はＩＡＮトポロジ装置１１０の他部がアクセス可能である。トポロジマップは、異なるアクセスネットワークの隣接セル間のマッピング情報をそれぞれ提供する１または２以上の項目を含む。非限定的な一実施形態例では、移動元ネットワークと移動先ネットワークが異なるものとすると、少なくとも１つの項目が、移動元アクセスネットワークに属する移動元セルから移動先アクセスネットワークに属する移動先セルのアクセス移動に関する情報を提供する。
【００３９】
なお、トポロジマップにはほとんど制約がない。トポロジマップを使用してＩＡＮセッション移動決定をするため、マップは、移動元セルと移動先セルとが異なるアクセスネットワークに属する項目を含むのが好ましい。移動元セルと移動先セルとが同一のアクセスネットワークに属する項目を禁じるわけではないが、同一のアクセスネットワークのセル間のハンドオーバはすでに周知で、実現されているものであり、そのためこれ以上は議論しない。
【００４０】
また、異なるオペレータネットワークのアクセスネットワークは常に異なるものと考えられるため、トポロジマップは、移動元セルと移動先セルとが異なるオペレータネットワークに属する項目を一緒に含むことができる。しかしながら、今度は単一のオペレータネットワークの一部であるコアネットワークにＩＡＮトポロジ装置１１０が維持されると想定されるため、トポロジマップは、ほとんどの場合で、移動先セルおよび移動元セルの一方または両方が現時点のオペレータのアクセスネットワークに属する項目を含むであろう。コアネットワークを運営する（したがってＩＡＮトポロジ装置１１０を運営する）オペレータネットワークは、「ホームオペレータネットワーク」ということができる。
【００４１】
また、「ホームアクセスネットワーク」という用語を導入する。３ＧＰＰでは、無線端末１２０が３ＧＰＰアクセスネットワークによってＡＮＤＳＦにアクセスできるように定められた手続がある。この例では、３ＧＰＰはホームアクセスネットワークとなる。これは、単純に、無線端末１２０がＩＡＮトポロジ装置１１０にアクセスできる処理を全てのアクセスネットワークが有していないことがあると認識する。さらに、ある特定のアクセスネットワークによってトポロジマップへのアクセスが提供される場合、おそらくは、項目の大部分が、当該アクセスネットワークに属する移動元セルまたは移動先セルを有するが、これは必要なことではない。
【００４２】
非限定的な一実施形態例では、マッピング情報を提供するトポロジマップの各項目は、移動元セルのパラメータと移動先セルのパラメータとを含む。セルのパラメータは、セル技術パラメータ（ＧＳＭ、ＬＴＥ、Ｅ−ＵＴＲＡＮ、ＷｉＦｉ、ＷｉＭａｘ、ＣＤＭＡ２０００など）、セル識別パラメータ（ＣＧＩ、ＡＰネーム、セクタＩＤ、セルＩＤ、基地局ＩＤなど）、ネットワーク識別パラメータ（ＭＣＣ＋ＭＮＣ、ＳＳＩＤなど）、を含むことができる。セル技術パラメータはセルのアクセス技術を示し、セル識別パラメータはセルを識別し、ネットワーク識別パラメータは関連アクセスネットワークを識別する。
【００４３】
セル識別パラメータは一意にセルを識別可能であるが、これは厳密に必要なことではない。ネットワークによっては、セル（つまり、セルに関連したｅＮｏｄｅＢ／基地局／アクセスポイントなど）は、グローバルセルＩＤに加えてローカルセルＩＤをブロードキャスト可能である。無線端末１２０はローカルセルＩＤをスキャンして、識別することができる。ローカルセルＩＤはネットワーク全体で一意であることが保証されたものであるが、典型的にグローバルセルＩＤよりも短く、短いＩＤのブロードキャストによって、スキャン中の識別を速く行えるようになり、パフォーマンスを速くすることができる。
【００４４】
また、各項目は移動インジケータパラメータを含むことができる。このパラメータを使用して、項目に「成功」または「失敗」と記録された以前のＩＡＮセッション移動の結果を示すことができる。また、このパラメータを使用して、移動元セルから移動先セルへの移動成功の確率または尤度を示すこともできる。これについては、数的（例えば６０％、０．７など）に表すこともできれば、階層レベル（例えば「ほぼしにくい」、「しにくい」、「いくぶんしやすい」、「非常にしやすい」など）で表すこともできる。
【００４５】
また、項目は位置パラメータを含むことも可能であり、任意で記入される。このパラメータは、記入された場合には、項目が記録された以前のＩＡＮセッション移動の以前の無線端末１２０の位置を示す。位置パラメータは、ＧＰＳ座標、住所、建物名など、ある特定の場所を示すことができる。
【００４６】
また、パラメータは地域を示すこともできる。例えば、無線端末１２０は２または３以上のセルを検出することが可能であり、この場合、位置パラメータは、検出したセルの通信範囲の重複を示すであろう。また、通信変調方式を使用して、地域を示すこともできる。３ＧＰＰでは、ｅＮｏｄｅＢがいくつかの変調方式（ＱＰＳＫ、１６ＱＡＭ、６４ＱＡＭなど）の１つを選択し、各無線端末１２０と通信する。ｅＮｏｄｅＢから比較的遠い無線端末１２０には、より強固な方式（より良好なエラー訂正ができる）を使用する。逆に、比較的近い無線端末１２０には、あまり強固ではない方式（データスループットがより高速）を使用する。他の位置表示としては、無線端末１２０の伝送電力設定（遠くには高い設定、近くには低い設定）、移動元／移動先セルについて報告されたチャネル品質（例えばＣＱＩ値）（一般的に品質は無線機器からの距離に対して低減する）が含まれる。
【００４７】
図７に、トポロジマップの非限定的な例を示す。このマップでは、第１の項目が、移動元セル（パラメータ値が「３ＧＰＰ」、「ｃｅｌｌ１」、「ＬＴＥ１」）から移動先セル（「ＷｉＭＡＸ」、「ＢＳ１」、「ＷＭ１」）への無線端末１２０の以前のＩＡＮセッション移動が成功であり、以前の無線端末１２０は地域Ａにあったことを示す。なお、全ての項目に位置パラメータの記入があるわけではない。
【００４８】
ステップＳ５２０において処理部３１０がトポロジマップを更新すると、新たな項目が作成されるか、既存の項目が変更される。移動元セルおよび移動先セルがそれぞれＩＡＮセッション移動の第１のセルおよび第２のセルに一致する既存の項目がなければ、処理部３１０は新たな項目を作成する。項目があれば、処理部３１０は、一致する既存の項目を変更する。
【００４９】
ＩＡＮセッション移動情報は、第１のセルのパラメータと、第２のパラメータと、移動結果パラメータとを含む。移動結果パラメータは、無線端末１２０が第１のセルから第２のセルへ移動できたかどうか、すなわちＩＡＮセッション移動が成功したかどうかを示す。
【００５０】
処理部３１０は、ＩＡＮセッション移動情報に含まれた第１のセルのパラメータ、第２のセルのパラメータ、移動結果パラメータに応じて、項目の移動元セルのパラメータ、移動先セルのパラメータ、移動表示パラメータを更新（作成または変更）することによって、トポロジマップ項目を更新する。
【００５１】
非限定的な一実施形態例では、ＩＡＮセッション移動情報におけるパラメータは、移動結果パラメータを移動表示パラメータ（例えば成功／失敗、ｙｅｓ／ｎｏなど）にコピーすることを含む単純なコピーが行われる。別の非限定的な実施形態例では、項目の移動表示パラメータは、移動が成功であった場合に「しやすい」から「非常にしやすい」へパラメータを変更するなど、移動結果パラメータに基づいて変更される。
【００５２】
ＩＡＮセッション移動情報は無線端末の位置を含み、それに応じて項目の位置パラメータは更新される。前述のように、位置は特定の場所とすることもできれば、地域とすることもできる。
【００５３】
再度図４を参照すると、ＩＡＮトポロジ装置１１０は、ステップＳ４１０においてトポロジマップを構成する。装置１１０は、スキャンセルリストを提供することによって、ステップＳ４１０において要求する無線端末に応答する。このスキャンセルリストは、要求する無線端末１２０の付近のセル（０または１以上）のリストである。どのようにリストを作成するかについては、以下でさらに説明する。
【００５４】
図８は、ステップＳ４２０を行う処理の非限定的な例を示している。この処理のステップＳ８１０において、要求する無線端末１２０からの要求を通信部３２０が受信する。ステップＳ８２０において、処理部３１０が、選択基準を適用し、選択基準を満たす移動先セル全てをスキャンセルリストに追加することで、トポロジマップから移動先セルを検索する。そしてステップＳ８３０において、通信部３２０は、要求する無線端末１２０にスキャンセルリストを提供する。これによって、要求する無線端末が、スキャンすべきセルをスマートに選択することが可能であり、リソースを節約できる。
【００５５】
非限定的な一態様において、処理部３１０が適用する選択基準は、１または２以上の選択条件の組合せである。基準の条件全てを満たすマップ項目のセルが追加される。条件の１つは、要求する無線端末１２０の付近にあるセルのみを検索すべきであるということである。通信部３２０が受信する要求は、要求する無線端末１２０が現時点でアクセスしているセル（現時点のセル）の情報を含む。処理部３１０は、移動元セルが現時点のセルに一致する項目の移動先セル全てを検索する。この条件は、「項目の移動元セルのパラメータが現時点のセルのパラメータに位置する」（第１条件）といえる。
【００５６】
別の条件を適用して、要求する無線端末１２０が別のアクセスネットワークにアクセスするのを防止するオペレータネットワークのポリシを反映することも可能である。例としては、要求する無線端末１２０の加入者は、３ＧＰＰおよびＷｉＦｉのみのアクセスに参加しており、ＷｉＭＡＸへの接続権については不参加として、その代わり加入料金を低くすることがある。サービスアグリーメントポリシを履行するオペレータネットワークは、要求する無線端末１２０がＷｉＭＡＸセルにアクセスするのを防止するであろう。この状況下では、ＷｉＭＡＸセルは、要求する無線端末１２０の付近にあっても、スキャンセルリストに追加する必要がない。この条件は、「オペレータネットワークのオペレータポリシが、要求する無線端末の、項目の移動先セルへのＩＡＮセッション移動を可能とする」（第２条件）といえる。
【００５７】
例によっては、電池電力を節減することが非常に重要な場合がある。このような例では、スキャンセルリストは、要求する無線端末１２０の移動が成功しやすいセルのみを含むべきである。この条件は、「移動インジケータパラメータが、項目の移動先セルへのＩＡＮセッション移動の成功の尤度の閾値以上である」（第３条件）といえる。尤度の閾値は、絶対的なもの（例えば成功／失敗、ｙｅｓ／ｎｏなど）、確率（例えば６０％、０．７５など）、確率レベルの階層（例えば、非常にしやすい、いくぶんしやすい、しにくいなど）などで表すことができる。
【００５８】
時には、ある項目の移動インジケータパラメータが、ＩＡＮセッション移動が成功しにくいと示していても、要求する無線端末１２０が移動先セルに物理的に近ければ、この移動先セルを追加することも可能である。これは、単純に、環境によって接続が影響を受け、無線端末１２０は近いほど信号対雑音比が良い、と認識する。したがって、要求する無線端末１２０の位置を要求が含む場合、処理部３１０は、要求する無線端末１２０が移動先セルに十分近ければ、または項目の位置パラメータが示すよりも移動先セルに近ければ、その移動先セルを追加することができる。この条件は、「要求する無線端末の位置が、項目の移動先セルからの距離の第１の閾値内である、または、項目の位置パラメータよりも少なくとも距離の第２の閾値だけ項目の移動先セルに近い」（第４条件）と表現できる。
【００５９】
選択基準は、第１条件から第４条件を含む選択条件のいかなる組合せを含むものとすることも可能である。実際的な理由から、第１条件は、要求する無線端末１２０の付近のセルを選択する条件であるため、常に適用すべきである。ほとんどの例で、第１条件および第２条件は、オペレータポリシがアクセスを防止することになるセルを追加する必要がないため、適用されやすい。第３条件および第４条件については、閾値の設定に応じて、あるセルは含み、他のセルは含まないように調整できる。以上は、条件を排他的に挙げたわけではない。
【００６０】
図４に示す方法Ｍ４００を再度考慮すると、ＩＡＮトポロジ装置１１０は、無線端末１２０が行ったＩＡＮセッション移動の情報に基づいて、トポロジマップを構成する。また、無線端末１２０が発信するＩＡＮセッション移動情報を再度考慮すると、ネットワークベースの機構または無線端末ベースの機構のいずれかによってＩＡＮトポロジ装置１１０に提供されるものである。
【００６１】
図９は、ＩＡＮセッション移動を行うことが可能で、ＩＡＮトポロジ装置１１０に通知することが可能な無線端末１２０の非限定的な実施形態例を示している。無線端末１２０は、とりわけ、処理部９１０と、通信部９２０と、格納部９３０とを備える。また、無線端末は位置部９４０を備えることもできる。処理部９１０は、装置の他部を制御して、無線端末１２０に関連したサービスを提供させるものである。通信部９２０は、少なくとも２つの異なるアクセスネットワークのセルと通信するものである。加えて、定められた論理インタフェースによって、通信部９２０は、ＩＡＮトポロジ装置１１０を含むＩＡＮセッション移動に関与するノードと直接通信することも可能である。格納部９３０は、無線端末１２０のオペレーションに必要な情報を記憶するものである。
【００６２】
図１０は、無線端末１２０がＩＡＮトポロジ装置１１０に通知するために行う方法の非限定的な例Ｍ１０００を示している。広く言えば、ステップＳ１０１０において、処理部９１０が通信部９２０によってＩＡＮセッション移動を行う。通信部９２０は、ステップＳ１０２０において直接的に、またはステップＳ１０３０において間接的に、ＩＡＮセッション移動をＩＡＮトポロジ装置１１０に通知する。直接的に通知する場合、通信部９２０は、関連情報を有するメッセージを、Ｓ１４インタフェースなどの定められたインタフェースによってＩＡＮトポロジ装置１１０へ送信する。間接的に通知する場合、通信部９２０は、ＭＭＥなど、ＩＡＮセッション移動に関与する中間ノードの１つへメッセージを送信する。
【００６３】
ステップＳ１０２０およびＳ１０３０の両方で、処理部９１０は、ＩＡＮセッション移動の第１のセルおよび第２のセルのパラメータを含むメッセージの内容を形成する。メッセ時は、移動が成功したか否かを示す移動結果を含むことができる。無線端末１２０が位置部９４０を備える場合、処理部９４０はメッセージに位置情報を含むこともできる。位置は、ある特定の場所とすることもできれば、ある地域とすることもできる。
【００６４】
以上の説明は、具体的なことを多く含んでいるが、本発明の範囲を限定するものとして解釈すべきではなく、単に、本発明の現時点で好ましい実施形態のいくつか説明したものとして解釈すべきである。したがって、本発明の範囲が、当業者にとって明らかな他の実施形態を完全に含み、限定されるものではないことは、明らかであろう。当業者に周知である上述の好ましい実施形態の要素の全ての構造的均等物および機能的均等物は、参照によってここに明確に組み入れ、ここで包含されるものとしたい。さらに、ここで説明した問題、または当技術によって解決しようとする問題の全てを、装置または方法が対処する必要はなく、このこともまたここで包含されるものする。さらに、本開示における要素、構成要素、方法動作については、いずれも公に供するものとするつもりはない。
【図１】
0005654449.tif 000002
【図２】
0005654449.tif 000003
【図３】
0005654449.tif 000004
【図４】
0005654449.tif 000005
【図５】
0005654449.tif 000006
【図６Ａ】
0005654449.tif 000007
【図６Ｂ】
0005654449.tif 000008
【図６Ｃ】
0005654449.tif 000009
【図６Ｄ】
0005654449.tif 000010
【図７】
0005654449.tif 000011
【図８】
0005654449.tif 000012
【図９】
0005654449.tif 000013
【図１０】
0005654449.tif 000014